(57)【特許請求の範囲】
【請求項１】
複数のスイッチノードを備えた通信ネットワークであって、該スイッチノードの各々が、該通信ネットワークと加入者回線その他の交換システムとの間の接続のための複数のポートを有する回線カード（１１２）を備えており、
該複数のスイッチノードの各々は、１つのリソースインターフェイスカード（１０８）を含むスイッチ（１００）と、該回線カードから該スイッチ（１００）内の該リソースインターフェイスカード（１０８）に交換データを送る入力バス（３４０）と、該スイッチ（１００）内の該リソースインターフェイスカード（１０８）から該回線カードに交換データを送る出力バス（３４２）と、該複数のスイッチノード間で交換通信データを伝送するよう該複数のスイッチノードの相互接続を行う内部ネットワークとを含んでおり、該通信ネットワークは、
外部リソース（３３６）への接続を行うと共に該入力バス（３４０）と該出力バス（３４２）とを介して回線カード（１１２）と相互接続される該リソースインターフェイスカード（１０８）を備えた少なくとも１つのノードを備えており、該リソースインターフェイスカードが、
Ａ）  該出力バス（３４２）を介して同一ノード上の回線カードへデータ（３２８）を送信し、及び該回線カードから該入力バス（３４０）を介してデータ（３２２）を受信する手段と、
Ｂ）  該入力バス（３４０）及び該スイッチを介して他のノード上の回線カードへデータ（３２６）を送信し、及び該回線カードから該スイッチ及び該出力バス（３４２）を介してデータ（３２４）を受信する手段と、
Ｃ）  入力情報をその処理のために該ポートから外部リソース（３３６）へと送る第１のスイッチ手段と、
Ｄ）  処理された情報を外部リソース（３３６）から入力バス又は出力バスを介して要求側ポートへと返す第２のスイッチ手段と、
Ｅ）  該ポーからの入力データを格納する第１のメモリ（３１４）及び該外部リソースからのデータを格納する第２のメモリ（３１６）と、
Ｆ）  メモリアドレスを格納する少なくとも１つのテーブル（３２０）と、
Ｇ）  該メモリから該外部リソースへ情報を送信するためのリソースバス（３３４）と、
Ｈ）  該テーブル（３２０）からアドレスを選択して該アドレスにより識別されるメモリロケーションにあるデータを読み出す手段と
を備えている、通信ネットワーク。
【請求項２】
請求項１に記載の通信ネットワークにおいて、該リソースインターフェイスカードが、
Ａ）  該リソースインターフェイスカード上の構成要素の全体的な制御を提供すると共にシステムバスを介して該スイッチとの通信を行う処理手段（３０２）と、
Ｂ）  該リソースインターフェイスカードと該スイッチとの間における該入力バス及び該出力バス上の通信の同期をとるタイミング及び制御回路（３０８）と、
Ｃ）  各メモリロケーションに接続されて該メモリロケーションのアドレス指定を行うタイムスロットカウンタ（３１８）と
を更に備えている通信ネットワーク。
【請求項３】
請求項２に記載の通信ネットワークにおいて、該入力バス及び該出力バスが、該ポートに割り当てられたそれらバスにおけるタイムスロットで時分割多重化され、それらバスに接続された該リソースインターフェイスカードが、
Ａ）  該スイッチを通過することなく該入力バス及び該出力バスを直接介してタイムスロットベースで同一ノード上のポートと通信を行う手段と、
Ｂ）  各パスで複数のタイムスロットを利用して、該ノードに接続された該ポートと該外部リソースとの間で双方向にデータを送信する手段と、
を備えている通信ネットワーク。
【請求項４】
請求項３に記載の通信ネットワークにおいて、該ポートからの入力データを送信する手段が、
Ａ）  同一ノード上または他のノード上のポートからデータを受信して該データを該メモリに格納する手段と、
Ｂ）  送信接続テーブルからメモリアドレスを取得する手段と、
Ｃ）  該メモリアドレスにより識別されるメモリロケーションにあるデータをその処理のために該リソースバスを介して外部リソースへ送信する手段と、
Ｄ）  該スイッチ内に配設されて何れのタイムスロットがデータ（３０２）を有しているかを内部ホストへ知らせる手段と、
Ｅ）  該内部ホストと、外部リソースの監視制御を実行する外部ホストとの間の通信を行う手段（１１８）と、
Ｆ）  該外部ホスト内に配設されて要求されたタスクの実行のために該外部リソースへデータを送信する手段と
を備えている通信ネットワーク。
【請求項５】
請求項４に記載の通信ネットワークにおいて、処理されたデータを受信する手段が、
Ａ）  該ノードに接続された外部リソースから処理されたデータを受信して該データをリソースインタフェイスユニットのメモリ（３１２）に格納する手段と、
Ｂ）  受信テーブル（３２９）からメモリアドレスを取得する手段と、
Ｃ）  該メモリアドレスにより識別されるメモリロケーションにあるデータを、受信側ポートが同一ノード又は他のノードの何れにあるかに応じて該入力バス又は該出力バスへタイムスロットベースで送信する手段（３２６，３２８）と
を備えている通信ネットワーク。
【請求項６】
スイッチノードと加入者回線その他の交換システムとの間の接続のための複数のポートを有する回線カード（１１２）と、１つのポートから別のポートへとデータの交換を行うスイッチ（１００）と、該回線カードからの交換データを該スイッチへ送るための入力バス（３４０）と、該スイッチからの交換データを該回線カードへ送るための出力バス（３４２）とを備えたスイッチノードであって、
該ノードを外部リソース（３３６）へ接続するリソースインターフェイスカード（１０８）を備えており、該リソースインターフェイスカードが
ａ）  該出力バスを介して同一ノード（３２８）上の回線カードへデータを送信し、及び該回線カードから入力バスを介してデータ（３２２）を受信する手段と、
ｂ）  該入力バス及び該スイッチを介して他のノード（３２６）上の回線カードへデータを送信し、及び該回線カード（３２４）から該スイッチ及び該出力バスを介してデータを受信する手段と、
ｃ）  入力情報をその処理（３３０）のために該ポートから外部リソースへと送る第１のスイッチ手段と、
ｄ）  処理された情報を外部リソース（３３２）から入力又は出力バスを介して要求側ポートへと返す第２のスイッチ手段と、
ｅ）  該ポートからの入力データを格納する第１のメモリ（３１４）及び該外部リソースからのデータを格納する第２のメモリ（３１６）と、
ｆ）  メモリアドレスを格納する少なくとも１つのテーブル（３２０）と、
ｇ）  該メモリから該外部リソースへ情報を送信するためのリソースバス（３３４）と、
ｈ）  該テーブルからアドレスを選択して該アドレスにより識別されるメモリロケーションにあるデータを読み出す手段（３０２）と
を備えている、スイッチノード。
【請求項７】
請求項６に記載のスイッチノードにおいて、該リソースインターフェイスカードが、
Ａ）  該リソースインターフェイスカード上の構成要素の全体的な制御を提供すると共にシステムバスを介して該スイッチとの通信を行う処理手段（３０２）と、
Ｂ）  該リソースインターフェイスカードと該スイッチとの間における該入力バス及び該出力バス上の通信の同期をとるタイミング及び制御回路（３０８）と、
Ｃ）  各メモリロケーションに接続されて該メモリロケーションのアドレス指定を行うタイムスロットカウンタと
を更に備えているスイッチノード。
【請求項８】
請求項７に記載のスイッチノードにおいて、該入力バス及び該出力バスが、該ポートに割り当てられたそれらバスにおけるタイムスロットで時分割多重化されるスイッチノードであって、それらバスに接続された該リソースインターフェイスカードが、
Ａ）  該スイッチを通過することなく該入力バス及び該出力バスを直接介してタイムスロットベースで同一ノード上のポートと通信を行う手段と、
Ｂ）  各バスで複数のタイムスロットを利用して、該ノードに接続された該ポートと該外部リソースとの間で双方向にデータを送信する手段と、
を備えているスイッチノード。
【請求項９】
スイッチノードと外部リソースとの間でデータ交換を行うための方法であって、該スイッチノードが、該スイッチノードと加入者回線その他の交換システムとの間の接続のための複数のポートを有する回線カードと、１つのポートから別のポートへとデータの交換を行うスイッチと、該回線カードからの交換データを該スイッチへ送るための入力バスと、該スイッチからの交換データを該回線カードへ送るための出力バスと、該ノードを外部リソースへ接続するリソースインターフェイスカードとを備えたものであり、該方法が、
Ａ）  入力バス又は出力バスの何れかにおいてリソースインターフェイスカード内のデータを受信し、
Ｂ）  該データを１つのメモリロケーションに格納し、
Ｃ）  送信テーブルから１つのメモリアドレスを選択し、
Ｄ）  該選択されたメモリアドレスにより識別されるデータを、その処理のために、リソースインターフェイスカードに接続されたリソースインタフェイスバスを介して外部へ送信し、
Ｅ）  該外部リソースからの該リソースインターフェイスカードへデータを返して該データを受信メモリロケーションに格納し、
Ｆ）  受信テーブルからメモリアドレスを読み出し、
Ｇ）  入力バス又は出力バス上に読み出された該メモリアドレスにおけるデータを該何れかのバスのタイムスロットが割り当てられたポートへ送る、
という各ステップを有する、スイッチノードと外部リソースとの間でデータ交換を行うための方法。
【請求項１０】
請求項９に記載の方法において、該送信ステップが、
Ａ）  どのタイムスロットがデータを有しているかを内部ホストに知らせ、
Ｂ）  内部ホストと、外部リソースの監視制御を実行する外部ホストとの間で通信を行い、
Ｃ）  要求されたタスクを実行するために外部ホストにより外部リソースへデータを送信する、
という各ステップを更に有する方法。
【発明の詳細な説明】
【０００１】
【発明の属する技術分野】
本発明は、一般に遠隔通信交換(switching)システムの分野に関し、特に、呼処理(call processing)サービスを提供することが可能な外部リソースとの接続をネットワークの接続性を失わずに行うためのリソースインタフェイスカードを備えた遠隔通信スイッチに関する。
【０００２】
【従来の技術】
本発明が適用されるスイッチングシステムの一例が、「Expandable Telecommunications System」と題する米国特許第5544163号で説明されている。該米国特許で説明されている遠隔通信スイッチノードは、加入者の電話回線またはＰＳＴＮトランク等の他の装置に接続された多数のポートを有する回線カードを有している。該スイッチはまた、ＣＰＵ／マトリクスカードと、システム中の１つのポートで受信した呼を別のポートへと切り換えるための少なくとも２つのシステムバスとを備えている。該システムバスの１つは、回線カードからのメッセージをマトリクスカードへ送る入力バスであり、他のバスは、マトリクスカードから回線カードへとメッセージを送る出力バスである。要求に応じた交換を行うために、該スイッチは、タイムスロットとして知られる所定時間でシステムバスを介して回線カードとの間で情報の送受信を行う。各タイムスロットは、一般にスイッチ上の１つのポートに対応するものである。
【０００３】
各呼は、２つのポート間の接続を伴うものである。これらポート間の通信が双方向であるため、システムバス上で４つのタイムスロットが必要となる。該４つのタイムスロットのうちの第１のタイムスロットは、１つのポートからマトリクスカードへの送信に使用され、第２のタイムスロットは、マトリクスカードから情報を取り出して他のポートへ送るために使用され、残りの２つのタイムスロットは、他の方向における送信に使用される。スイッチは、入力バスにおいて複数のタイムスロットで受信した情報をそれに対応するメモリロケーションに格納する。その後、スイッチは、該メモリから情報を取り出し、該情報を受信することになるポートに割り当てられた出力タイムスロットにわたり該情報を送信する。
【０００４】
【発明が解決しようとする課題】
呼スイッチングに加えて、スイッチはまた、呼処理サービス（特にトーン生成・検出やボイスメールを含むもの）を提供することが要求される。これらのサービスは、システムバスに接続され、及び該サービスが提供されることになる回線カードのポートと通信する、カードにより提供される。「Ｔｅｌｅｃｏｍｍｕｎｉｃａｔｉｏｎｓ  Ｓｗｉｔｃｈ  ｗｉｔｈ  Ｐｒｏｇｒａｍｍａｂｌｅ  Ｃｏｍｍｕｎｉｃａｔｉｏｎｓ  Ｓｅｒｖｉｃｅｓ」と題する米国特許第５３４９５７９号で説明されているような従来のシステムは、出力バスを介して回線カードに直接（即ちＣＰＵ／マトリクスカードを通過せずに）情報を送信するプログラム可能なサービスカードを備えている。同様に、該システムは、入力バスを介して回線カードから直接情報を受信する。このため、かかる通信は２つのタイムスロットしか必要とせず、これに対し、ＣＰＵ／マトリクスカードを情報が通過する場合には４つのタイムスロットが必要になる。これにより、ポートとサービスカード上の所望の呼処理サービスとの間の通信に必要となるタイムスロットの数が低減され、このため、スイッチの呼操作（ｃａｌｌ−ｈａｎｄｌｉｎｇ）能力の低下が最小限となる。上記の従来技術文献に記載された通信サービスカードは、スイッチ内部の（即ちスイッチバスに接続されたカード上の）リソースに対するサービスしか行わないものである。外部音声処理リソースに接続するために、幾つかのシステムでは、システムバスにプラグインされて様々なポートとの通信を行うたリソースバスインタフェイス（ＲＢＩ）カードが使用される。該ＲＢＩカードは、従来の音声処理リソースバスにより１つ又は２つ以上の外部リソースに接続される。該ＲＢＩカードは、ＣＰＵ／マトリクスカードを介して回線カードポートと通信する。このため、該ＲＢＩカードは、そのリソースを使用する各呼毎にシステムバス上の４タイムスロットを必要とする。これは（呼の処理に使用されてスイッチの呼操作能力の低下を軽減させるものとなるはずの）回線カードのポートと連携するものとなる。
【０００５】
米国特許第5544163号で説明されているような拡張可能なシステムは、ノード間バスを介して相互接続された複数のスイッチノードを備えている。異なる２つのノード上の複数ポート間の１つの呼は、該２つのノード上のシステムバスと内部バスとを介してルーティングされる。１つのシステムリソースは、１つのスイッチノードに必要される能力よりも高い能力を有することが可能であり、したがって、該リソースをシステム中の他のノードに対して利用可能とすることが望ましい。
【０００６】
【課題を解決するための手段】
本発明による遠隔通信スイッチノードは、外部の呼処理リソースと接続するためのインタフェイスとして働く、少なくとも１つのリソースインタフェイスカードを備えている。該リソースインタフェイスカードは、システムバスを介してスイッチノード中の回線カードと直接に（即ちＣＰＵ／マトリクスカードを通過せずに）通信を行い、及び回線カードの２つのポートを使用して全ての外部リソースとの接続を行う。
【０００７】
該リソースインタフェイスカードはまた、拡張された交換ネットワーク中の他のスイッチノード内のシステムバスに接続された回線カードとの通信を行う。このため、他のノードが他のタスクで占有されていない利用可能なポートを有する場合に、該他のノード内のポートに対し、リソースインタフェイスカードのリソースが利用可能となる。後者のポートとの通信を行う場合には、リソースインタフェイスカードは、ＣＰＵ／マトリクスカードを介して、そのスイッチノード上、及び通信ポートが存在するノード上に、情報を送信する。このため、そのスイッチノード上のポートと通信を行う場合には、リソースインタフェイスカードは、入力バス上で情報を受信して、該情報を出力バス上で送信し、また、他のノード上のポートと通信を行う場合には、出力バス上で情報を受信して、該情報を入力バス上で送信する。
【０００８】
本発明の好適な一実施形態では、リソースインタフェイスカードと同じスイッチノード内のポートから又はシステム中の他のノードからの入力データは、入力バス又は出力バスを介してリソースに入り、リソースインタフェイスカード内のメモリに格納される。メモリアドレスは、送信接続マップ（即ちメモリアドレスのルックアップテーブル）から読み出される。次いで、該アドレスにより識別されるメモリロケーションが、リソースバスを介して外部リソースへと送信される。外部リソースによりデータが処理されると、適当なポートへの送信を行うための情報がリソースインタフェイスカードへ送り返される。該情報は、リソースインタフェイスカードのメモリ内の第２のアドレスに格納される。このアドレスは最終的に受信マップから選択され、該アドレスにより識別されるメモリロケーション内のデータが、受信ポートがリソースインタフェイスカードと同じスイッチノード内にあるか別のノード内にあるかに応じて、タイムスロットベースで入力バス又は出力バスへと送信される。
【０００９】
【発明の実施の形態】
図１は、スイッチを示すブロック図である。該スイッチ100は、入出力（Ｉ／Ｏ）バス114により相互接続された中央処理装置（ＣＰＵ）102及びハードディスクドライブ126を備えている。該スイッチ100はまた、電源バス116及びシャシ又はハウジングを備えており、該シャシ又はハウジング内に、前記ハードディスクドライブ126その他のオプションアクセサリと共にマザーボードが取り付けられている。該マザーボード上にＣＰＵ102が取り付けられる。該マザーボードは、一連のスロットを備えており、該スロット内に他のボード（又はカード）を挿入して前記Ｉ／Ｏバス114及び／又は電源バス116との接続を行うことが可能となっている。
【００１０】
ＣＰＵ／マトリクスカード104は、４つのバスにより、ディジタル回線カード106、リソースインタフェイスカード108、ターミネータカード110、及びアナログ回線カード112と相互接続される。該４つのバスは、高速データリンク制御（ＨＤＬＣ）バス118、時分割多重化（ＴＤＭ）バス120、回線カード（ＬＣ）状態／制御バス122、及びタイミング／制御バス124である。ＣＰＵ／マトリクスカード104及びＣＰＵ102は、Ｉ／Ｏバス114を介して互いに通信を行う。回線カード106,112及びリソースインタフェイスカード108は、それらの基本的な作動電力を電源バス116から受容するように接続される。別のコンピュータからなる外部ホスト128をＣＰＵ／マトリクスカード104に接続して該スイッチに対する管理制御を行うことが可能である。
【００１１】
図２は、ＣＰＵ／マトリクスカード200を一層詳細に示す説明図である。該ＣＰＵ／マトリクスカード200は、該カード200上の他の全ての回路を制御する中央呼処理装置202を備えている。該中央呼処理装置202は、ＨＤＬＣバス118、ＬＣ状態／制御バス112、ホスト選択回路210、ランダムアクセスメモリ（ＲＡＭ）及びリードオンリーメモリ（ＲＯＭ）204、ウォッチドッグタイミング回路206、Ｉ／Ｏ制御回路208、タイミング及び制御／選択回路212、及びタイムスロット交換手段（ＴＳＩ）216に接続されている。該中央呼処理装置202は、ＨＤＬＣバス118を使用して、該バスに接続されている全てのカードへメッセージを同時に送信し、又はＬＣ状態／制御バス122を使用して、ＴＤＭバス120を介してメッセージの送受信を行う他のカードにタイムスロットを割り当てる。ＣＰＵ／マトリクスカード200の呼処理装置202に接続されたホスト選択回路210は、内部ホスト（ＣＰＵ120）及び外部ホスト128の何れと送信を行うべきかを中央呼処理装置に知らせる切換手段である。Ｉ／Ｏ制御回路208は、中央呼処理装置202と内部ホストとの間の通信を管理する。タイミング及び制御／選択回路212は、中央呼処理装置202からの命令に応じて該スイッチ上のＣＰＵ／マトリクスカード200その他のカードのための同期信号を提供する。ＴＳＩ216は、ＴＤＭバス120を介してデータの送受信を行い。中央呼処理装置202による命令時に従来の態様でタイムスロットの交換を行うよう動作する。
【００１２】
図３は、図１のリソースインタフェイスカード108をより詳細に示す説明図である。同図に示す様々なバスは、冗長性を提供する目的で複製されたものとして示されている。ＴＤＭバス120は、LSpcm340及びSLpcm342で示す２つの通信経路から構成される。経路LSpcm340は、回線カード106,112からＣＰＵ／マトリクスカード200及びリソースインタフェイスカード300へパルスコード変調（ＰＣＭ）データを伝達する。また経路SLpcm342は、ＣＰＵ／マトリクスカード200及びリソースインタフェイスカード300から回線カード106,112へＰＣＭデータを伝達する。
【００１３】
リソースインタフェイスカード300上のＣＰＵ302は、該カード上の他の構成要素及びモジュールの全体的な制御を行う。該ＣＰＵ302は、ＨＤＬＣバス118、リードオンリーメモリ（ＲＯＭ）304、ランダムアクセスメモリ（ＲＡＭ）306、並びにタイミング及び制御回路308に接続される。該ＣＰＵ302は、ＣＰＵ／マトリクスカード200の命令を受信して特定のアクションを実行し、該要求されたアクションが既に実行済である場合にはＣＰＵ／マトリクスカード200にメッセージを送信する。ＴＤＭバス120を介した通信は、タイミング／制御バス124により受信されるタイミング信号を介してＣＰＵ／マトリクスカード200と同期される。
【００１４】
受信ＰＣＭバンク314,316は、SLpcmバス342又はLSpcmバス340から送信された全てのＰＣＭデータを連続的に受信する。受信ＰＣＭバンク314,316は互いに一対一の関係にある。入力マルチプレクサ322,324は、ＴＤＭバス340,342から受信ＰＣＭバンク314へＰＣＭデータを送る。タイムスロットカウンタ318は、ＴＤＭバス340,342を介してＰＣＭデータを受信するためのメモリロケーションをアドレス指定するために受信ＰＣＭバンク314に接続される。
【００１５】
ルックアップテーブルであるリソース送信マップ320は、受信ＰＣＭバンク316に接続される。該リソース送信マップ320は、受信ＰＣＭバンク316内のアドレスを生成し、該生成されたアドレスにより識別されるロケーションにあるデータが受信ＰＣＭバンク316から読み出される。該データは、送信マルチプレクサ330へ送られて、外部リソースへ送信するためのフォーマットにされる。次いで、該送信マルチプレクサ330は、該ＰＣＭデータをリソースバス334を介して外部リソース336へ送る。前記マルチプレクサ330,332は、外部リソース336に接続されたあらゆる工業規格のインタフェイスバスに対してリソースインタフェイスカードを接続するものとなる。
【００１６】
外部リソース336から情報が受信されると、該情報は、受信マルチプレクサ332を介して送信ＰＣＭバンク310及び送信ＰＣＭバンク312へ送られる。送信ＰＣＭバンク310と送信ＰＣＭバンク312との間には一対一の関係が存在する。ルックアップテーブルであるリソース受信マップ329は送信ＰＣＭバンク310に接続される。該送信ＰＣＭバンク310内のアドレスはリソース受信マップ329により生成される。該アドレスにより識別される送信ＰＣＭバンク310内のロケーションにあるデータが、ＴＤＭバス340,342上の複数のタイムスロットを介して適当なポートへと送信される。所与の１つのタイムスロットでは、ＣＰＵ／マトリクスカード200及びリソースインタフェイスカード300の一方のみが、ＴＤＭバス340を介して回線カードへとＰＣＭデータを送信することが可能となる。
【００１７】
図４は、リソースインタフェイスカードが入力呼を処理する際に実行されるタスクを示すフローチャートである。ステップ410において、所与のタイムスロットで、リソースインタフェイスカード300は、SLpcmバス342又はLSpcmバス340からＰＣＭデータを受信することができる。該ＰＣＭデータは、受信ＰＣＭバンク314内の１つのメモリロケーションに格納される（即ち書き込まれる）。ステップ420で、リソース送信マップ320が、受信ＰＣＭバンク316内の１つのロケーションに対応する１つのアドレスを選択する。同一のタイムスロットにおいて、リソースインタフェイスカード300は、前記アドレスに対応するメモリロケーションに格納されているＰＣＭデータを送信マルチプレクサ330へ送信する。ステップ430で、該送信マルチプレクサ330は、該データを、リソースインタフェイスカード300に接続された標準的なリソースインタフェイスバス334へ送る。ステップ440で、スイッチ100上のＣＰＵ／マトリクスカード200が、内部ホスト102へメッセージを送り、どのタイムスロットがＰＣＭデータを送信しているかを該内部ホストに知らせる。データをどうすべきかを外部リソースが知ることができるように、ステップ450で、内部ホストが、外部リソースに対する監視制御を実行する外部ホスト128との通信を行う。ステップ460で、外部ホストは、要求されたタスクを実行するよう外部リソースへデータを送信する。
【００１８】
図５は、呼が、外部リソースによる操作後に如何に処理されるかを示すフローチャートである。ステップ510において、所与のタイムスロットで、リソースインタフェイスカード300が、受信マルチプレクサ332を介してリソースインタフェイスバス334からデータを受信する。ステップ520で、該受信マルチプレクサ332が該データを送信ＰＣＭバンク312へ送る。ステップ530で、送信ＰＣＭバンク310内のアドレスが受信マップからランダムに読み出され、該アドレスに対応する送信ＰＣＭバンク310内のロケーションにあるＰＣＭデータが読み出される。同一のタイムスロットで、該ＰＣＭデータが、LSpcmバス340又はSLpcmバス342を介して、該タイムスロットに割り当てられたポートへと送信される。
【００１９】
上記説明は、本発明の特定の実施形態に関するものである。しかし、他の変形及び修正を該実施形態に加えて、該実施形態の利点の一部又は全てを達成することが可能であることは明かである。したがって、特許請求の範囲は、かかる変形及び修正の全てを本発明に含まれるものとしてカバーすることを目的としたものである。
【図面の簡単な説明】
【図１】  コンピュータ内にある遠隔通信スイッチであって本発明の好適な実施形態に従って構成されたリソースインタフェイスカードを有する遠隔通信スイッチを示すブロック図である。
【図２】  図１のＣＰＵ／マトリクスカードを詳細に示す説明図である。
【図３】  図１のリソースインタフェイスカードを詳細に示す説明図である。
【図４】  リソースインタフェイスカードが入力呼を処理する際に実行されるタスクを示すフローチャートである。
【図５】  リソースインタフェイスカードが出力呼を処理する際に実行されるタスクを示すフローチャートである。
【図１】
0003875490.tif 000002
【図２】
0003875490.tif 000003
【図３】
0003875490.tif 000004
【図４】
0003875490.tif 000005
【図５】
0003875490.tif 000006